(57)【要約】【課題】動画データと音声データとの時間長の調整を行うことができ、自然な動画を生成することのできる動画生成システムを提供すること。【解決手段】コンピュータグラフィックスにより生成されるＣＧ動画データ４６と、組込対象テキスト４３とから最終動画４８を生成する動画生成システムを提供する。コンピュータグラフィックスによれば動画データ４６の時間長調整が容易である。２以上のＣＧ動画基礎データ１２を保持して使い分ける。例えば公共料金について翌月の予想使用料に基づいて使い分けることで効率的なメッセージとなる。生成された動画を用いた料金通知方法を合わせて提供する。【選択図】図１
2016118936.tif 000002
【特許請求の範囲】
【請求項１】
ＣＧ基礎データに基づいてコンピュータグラフィックス処理により生成されるＣＧ動画データと、組込対象テキストとから最終動画を生成する動画生成システムであって、
前記組込対象テキストは２以上の要素テキストに分解され、
前記ＣＧ動画データは前記要素テキストのそれぞれに対応する区間を有し、
前記要素テキストに基づいて音声合成された合成音声を、前記ＣＧ動画データの該要素テキストに対応する区間である対応区間における音声として重畳し、
前記対応区間の時間長が前記合成音声の時間長に等しいか又は所定時間長だけ長くなるように、前記対応区間における前記ＣＧ動画データの変化速度を調整することを特徴とする、動画生成システム。
【請求項２】
２以上の前記ＣＧ基礎データを保持し、
前記２以上のＣＧ基礎データのうちの１を選択するＣＧ基礎データ選択手段を備えることを特徴とする、請求項１に記載の動画生成システム。
【請求項３】
前記最終動画の配信を受ける複数のユーザについて、それぞれの前記最終動画を生成し、
前記ユーザのそれぞれに係るユーザデータを保持し、
前記ＣＧ基礎データ選択手段は、前記ユーザデータに基づいてＣＧ基礎データを選択することを特徴とする、請求項２に記載の動画生成システム。
【請求項４】
前記ユーザデータは、それぞれのユーザが好むＣＧ基礎データの指定を含むことを特徴とする、請求項３に記載の動画生成システム。
【請求項５】
前記要素テキストのうち少なくとも１つは数値を含み、
前記ＣＧ基礎データ選択手段は、前記数値に基づいてＣＧ基礎データを選択することを特徴とする、請求項３に記載の動画生成システム。
【請求項６】
前記ＣＧ基礎データに基づいて行われる前記コンピュータグラフィックス処理において、前記数値に基づいて相違する前記ＣＧ動画データを生成することを特徴とする、請求項５に記載の動画生成システム。
【請求項７】
それぞれのユーザについて前記数値を時系列で保存し、
前記ＣＧ基礎データ選択手段は、該時系列における次回数値の予測値に基づいてＣＧ基礎データを選択することを特徴とする、請求項５又は６に記載の動画生成システム。
【請求項８】
前記数値が電気、ガス、水道又は電話の使用量であることを特徴とする、請求項７に記載の動画生成システム。
【請求項９】
前記ユーザデータは、それぞれのユーザが指定した境界数値を含み、
前記ＣＧ基礎データ選択手段は、前記予測値が前記境界数値以上の場合と前記境界数値未満の場合とで異なるＣＧ基礎データを選択することを特徴とする、請求項８に記載の動画生成システム。
【請求項１０】
請求項８又は９に記載の動画生成システムによって生成された動画をユーザに送信することを特徴とする、料金通知方法。
【発明の詳細な説明】
【技術分野】
【０００１】
本発明は、言語情報を埋め込んだ動画を生成するシステム、及びそのシステムを用いる料金通知方法に関する。
【０００２】
（用語の定義）
「動画」の語は、音声を伴って時間変化する画像とも、音声を伴わずに時間変化する画像のみとも解釈し得る。本明細書では、前者を「動画」、後者を「動画データ」と呼んでこれらを区別する。
【背景技術】
【０００３】
昨今、電話料金等の料金について、月次の明細書を印刷物として送付することなくホームページ等において閲覧させることが広く行われている。かかる閲覧は、テキストデータ又は静止画データを表示するものが大半である。しかし、サービス提供者からユーザへのメッセージを的確に伝達するためには、音声等を入れた動画を用いることが好ましい。
【０００４】
数多くのユーザに動画の閲覧をさせ、ユーザ毎の情報（例えば利用料金）を正確に伝達するためには、または少数の動画にユーザ毎の情報を埋め込んだユーザ毎の動画を生成することとなる。ここで、ユーザ毎の情報を静止画として、あるいは静止した又はテロップとしてのテキストとして埋め込むことは容易である。
【０００５】
しかし、メッセージの伝達としては、ユーザ毎の情報を音声で動画に埋め込むことが好ましい。特許文献１には、動画に音声データを埋め込む方法が開示されている。
【０００６】
動画に音声データを埋め込む際には、動画データと音声データとの時間長の調整が課題となる。情報がユーザ毎に相違するので、音声データの時間長もユーザ毎に相違する。一方、動画データの時間長は固定されている。音声データと動画データの一方が他方よりも長い時間となり、単純に音声データを動画に埋め込むことはできない。かかる場合における時間長の調整は、特許文献１には開示されていない。
【０００７】
むろん、音声データのほうが長い場合には動画データの一部を停止させて（同一内容のフレームを繰り返して）対応でき、動画データのほうが長い場合には動画データの一部に音声を対応させずに（無音として）調整することは可能である。また、動画データのフレームを間引くことでも動画の時間長を短くすることができる。
【０００８】
しかし、かかる単純な調整では、結果としての動画が、動画データ又は音声データに変化のないものとなってしまったり、動画データの動きが不自然になってしまったりする問題がある。また、音声データが一連の文章である場合には、途中で分断せずに継続させることが必要である。
【先行技術文献】
【特許文献】
【０００９】
【特許文献１】特開２０１３−０８１０５６号公報
【発明の概要】
【発明が解決しようとする課題】
【００１０】
本発明は、動画データと音声データとの時間長の調整を行うことができ、自然な動画を生成することのできる動画生成システムを提供することを課題とする。
【課題を解決するための手段】
【００１１】
本発明の動画生成システムは、
ＣＧ基礎データに基づいてコンピュータグラフィックス処理により生成されるＣＧ動画データと、組込対象テキストとから最終動画を生成する動画生成システムであって、
前記組込対象テキストは２以上の要素テキストに分解され、
前記ＣＧ動画データは前記要素テキストのそれぞれに対応する区間を有し、
前記要素テキストに基づいて音声合成された合成音声を、前記ＣＧ動画データの該要素テキストに対応する区間である対応区間における音声として重畳し、
前記対応区間の時間長が前記合成音声の時間長に等しいか又は所定時間長だけ長くなるように、前記対応区間における前記ＣＧ動画データの変化速度を調整することを特徴とする。
【００１２】
動画データをコンピュータグラフィックスにより生成することで、動画データの時間長を容易に調整する。コンピュータグラフィックスにおける変化速度を調整することで、動画データの時間長が調整される。ここで「区間」は時間長を調節する単位であり、区間毎の動画データが要素テキストに対応する。
【００１３】
本発明の動画生成システムは、
２以上の前記ＣＧ基礎データを保持し、
前記２以上のＣＧ基礎データのうちの１を選択するＣＧ基礎データ選択手段を備えることを特徴とする。
【００１４】
２以上のＣＧ基礎データを使い分けるものである。
【００１５】
本発明の動画生成システムは、
前記最終動画の配信を受ける複数のユーザについて、それぞれの前記最終動画を生成し、
前記ユーザのそれぞれに係るユーザデータを保持し、
前記ＣＧ基礎データ選択手段は、前記ユーザデータに基づいてＣＧ基礎データを選択することを特徴とする。
【００１６】
ユーザ毎の特徴値（プロパティ）によって、ＣＧ基礎データを使い分けるものである。
【００１７】
本発明の動画生成システムは、
前記ユーザデータは、それぞれのユーザが好むＣＧ基礎データの指定を含むことを特徴とする。
【００１８】
ユーザの好みに合わせることができる。
【００１９】
本発明の動画生成システムは、
前記要素テキストのうち少なくとも１つは数値を含み、
前記ＣＧ基礎データ選択手段は、前記数値に基づいてＣＧ基礎データを選択することを特徴とする。
【００２０】
利用料金等の数値によって、ＣＧ基礎データを使い分けるものである。
【００２１】
本発明の動画生成システムは、
前記ＣＧ基礎データに基づいて行われる前記コンピュータグラフィックス処理において、前記数値に基づいて相違する前記ＣＧ動画データを生成することを特徴とする。
【００２２】
数値に基づいてグラフを描く等のコンピュータグラフィックス処理を行うことで、効果的な動画となる。特に、数値に基づいて描かれる図形（グラフを含む）を、静止画としてでなく時間変化する画像として動画データに取り込むことで、効果が増す。
【００２３】
本発明の動画生成システムは、
それぞれのユーザについて前記数値を時系列で保存し、
前記ＣＧ基礎データ選択手段は、該時系列における次回数値の予測値に基づいてＣＧ基礎データを選択することを特徴とする。
【００２４】
数値が電力等の使用量である場合には、翌月の予測使用量に基づいたメッセージを伝達することができる。
【００２５】
本発明の動画生成システムは、
前記数値が電気、ガス、水道又は電話の使用量であることを特徴とする。
【００２６】
電気、ガス、水道又は電話の使用量は、ユーザが管理したい可能性が高い。
【００２７】
本発明の動画生成システムは、
前記ユーザデータは、それぞれのユーザが指定した境界数値を含み、
前記ＣＧ基礎データ選択手段は、前記予測値が前記境界数値以上の場合と前記境界数値未満の場合とで異なるＣＧ基礎データを選択することを特徴とする。
【００２８】
ユーザの判断により、ＣＧ基礎データを変更する閾値を定めることができる。
【００２９】
本発明の料金通知方法は、
前記数値が電気、ガス、水道又は電話の使用量である動画生成システムによって生成された動画をユーザに送信することを特徴とする。
【００３０】
公共的なサービスにおいて、動画を活用するものである。
【発明の効果】
【００３１】
本発明の動画生成システムによれば、動画データと音声データとの時間長の調整を行うことができ、自然な動画を生成することが可能となる。
【００３２】
本発明の料金通知方法によれば、自然な動画による効果的な通知が可能となる。
【図面の簡単な説明】
【００３３】
【図１】図１は、動画生成システムの構成を示す図である。
【図２】図２は、ユーザデータの例を示す図である。
【図３】図３は、ＣＧ基礎データの選択手順を示す図である。
【図４】図４は、動画の生成手順を示す図である。
【図５】図５は、時間長調整を説明する図である。
【図６】図６は、動画の例を示す図である。
【図７】図７は、動画の例を示す図である。
【発明を実施するための形態】
【００３４】
以下、本発明の実施例を説明する。
【００３５】
図１は、動画生成システムの構成を示す図である。動画生成システム１は、インターネット等のネットワークを介して接続されたユーザ端末２に動画を配信する。ユーザ端末２は、パーソナルコンピュータ、スマートフォン、その他のデバイスであり得る。配信された動画を再生することができるデバイスであればよい。
【００３６】
動画生成システム１は、テキストデータ１１、ＣＧ基礎データ１２及びユーザデータ１３を保持している。テキストデータ１１及びユーザデータ１３は、複数のユーザの全てについてのものを含むが、ユーザ別テキストデータ１１ａ及びユーザ別ユーザデータ１３ａとして抽出可能である。ＣＧ基礎データ１２については、ＣＧ基礎データ選択手段１６によって、ユーザ別ＣＧ基礎データ１２ａが選択される。ＣＧ基礎データ選択手段１６の処理の詳細については後述する。
【００３７】
動画生成システム１は、音声合成手段１５、ＣＧ基礎データ選択手段１６、ＣＧ処理手段１７、結合手段１８及び配信手段１９を含んでいる。音声合成手段１５、ＣＧ基礎データ選択手段１６、ＣＧ処理手段１７及び結合手段１８によってユーザ別動画１４が生成され、配信手段１９によってそのユーザに配信される。
【００３８】
ユーザ別ユーザデータ１３ａ（ユーザデータ１３のうちそのユーザに関する部分）については、そのユーザのユーザ端末から更新が可能である。図２は、ユーザデータの例を示す図である。ユーザデータ１３は、全てのユーザのデータを含む。図における各々の行がユーザ別ユーザデータ１３ａとなる。
【００３９】
ユーザデータ１３は、好みのＣＧ基礎データ１３１、ＣＧ基礎データの変更条件１３２、時系列数値１３３を含む。好みのＣＧ基礎データ１３１及びＣＧ基礎データの変更条件１３２については、ユーザによる更新が可能である。ユーザは好みのＣＧ基礎データによる動画の配信を受けることができ、注意を喚起してほしい条件をＣＧ基礎データの変更条件１３２とすることでその場合には別のＣＧ基礎データによる動画によって確実な注意喚起を受けることができる。図は、月次水道使用量のものとし、ユーザは前期比で５％以上の増加があれば注意を喚起してもらうこととしている。なお、ＣＧ基礎データの変更条件１３２は、１つのみでなく複数保有されていれもよい。
【００４０】
音声合成手段１５は、ユーザ別テキストデータ１１ａに対して音声合成を行い、音声データ１１ｂを生成する。音声合成の方法は、広く知られたものを用いればよい。また、音声データ１１ｂについて、音声合成によらずに肉声の録音を用いることもできる。ここで、ユーザ別テキストデータ１１ａは複数の区間に区分されており、音声合成手段１５はそれぞれの区間に対して別々に処理を行う。
【００４１】
ＣＧ基礎データ選択手段１６は、ユーザ別テキスト１１ａ及びユーザ別ユーザデータ１３ａに基づいて、ＣＧ基礎データ１２の保持された複数のもののうちから、１つをユーザ別ＣＧ基礎データ１２ａとして選択する。
【００４２】
ここで、ＣＧ基礎データ（のうちの１つ）は、ＣＧによる動画作成の基礎となるデータであり、ＣＧ画面に表示される立体形状のポリゴンデータ、数値に基づいてＣＧ画面にグラフを表示する場合の座標軸データ、ＣＧにおいて移動する立体（または平面）形状の初期座標及び移動方向データ、その他を含む。すなわち、ＣＧ基礎データに、グラフ表示の数値、追加表示するテキスト又は画像、を加えることで、コンピュータグラフィックス（以下「ＣＧ」と記す。）による動画作成が可能である。
【００４３】
ＣＧ処理手段１７は、ユーザ別ＣＧ基礎データ１２ａとユーザ別テキストデータ１１ａとに基づいて動画データ１２ｂを生成する。ユーザ別ＣＧ基礎データ１２ａは複数の区間に区分されており、ＣＧ処理手段１７は、それぞれの区間に対して別々に処理を行う。
【００４４】
ＣＧ処理手段１７は、具体的には、ユーザ別ＣＧ基礎データ１２ａに対して、ユーザ別テキストデータ１１ａから抽出したテキストを挿入し、ユーザ別テキストデータ１１ａから抽出した数値に基づいてグラフを描画する。
【００４５】
ユーザ別テキストデータ１１ａとユーザ別ＣＧ基礎データ１２ａの区間を対応させることで、テキストの音声に合わせて表示させたい動画データが表示される。ＣＧ処理手段１７は、音声データ１１ｂに基づいて動画データ１２ｂの時間長を調整する。具体的には、動画データ１２ｂの時間長を音声データ１１ｂに合わせるよう、ＣＧの速度を調整する。
【００４６】
結合手段１８は、音声データ１１ｂと動画データ１２ｂからユーザ別動画１４を生成する。なお、音声データ１１ｂ及び動画データ１２ｂは区間ごとに生成されるが、全ての区間を結合して１つのユーザ別動画１４とする。
【００４７】
送信手段１９は、ユーザ別動画１４を、そのユーザのユーザ端末２に送信する。
【００４８】
図３は、ＣＧ基礎データの選択手順を示す図である。ＣＧ基礎データ選択手段１６は、ユーザ別テキスト１１ａから推認されるそのユーザの状況に合わせたＣＧ基礎データを選択する。
【００４９】
ＣＧ基礎データ選択手段１６による処理は、基準ＣＧ基礎データ選択処理３１、閾値調整処理３２及びＣＧ基礎データ確定処理３３に大別される。
【００５０】
基準ＣＧ基礎データ選択処理３１は、特に注意を喚起する必要がない場合に使用されるユーザ別ＣＧ基礎データ１２ａを選択するものである。動画生成システムのデフォルト（ステップ３１１）よりも、何らかの理由でそのユーザに前回送信されたものを優先し（ステップ３１２）、好みのＣＧ基礎データ１３１が指定されていればそれを最優先する（ステップ３１３、３１４）。
【００５１】
閾値調整処理３２は、閾値を調整する。閾値は、ユーザ別テキストデータ１１ａに含まれる数値に基づいた計算される対象値がそれ以上（又は未満）の場合に注意を喚起するためのユーザ別ＣＧ基礎データ１２ａを選択するためのものである。対象値としては、例えば数値が月次電力使用量であれば、その絶対値、対前月比、翌月予想値等が考えられる。その他、数値に依存して適宜に設計すればよい。
【００５２】
閾値は、対象値毎に、動画生成システム１がデフォルトを保持している。デフォルトの値を閾値として用いるものとし（ステップ３２１）、ユーザがＣＧ基礎データの変更条件１３２を指定した場合には、指定された値とする（ステップ３２２、３２３）。対象値が複数ある場合には、各々の対象値に関する閾値をそれぞれ求める。
【００５３】
ＣＧ基礎データ確定処理３３は、ユーザ別テキストデータ１１ａから数値を読み取り（ステップ３３１）、対象値を計算し（ステップ３３２）、対象値と閾値の大小比較に基づいて注意を喚起すべき場合には注意喚起用のＣＧ基礎データを選択する（ステップ３３３、ステップ３３４）。
【００５４】
ここで、ステップ３３２において、対象値によってはユーザ別テキストデータ１１ａに含まれる数値のみからは求めることができない場合も考えられる。例えば、数値が電力使用量で、対象値が対前月比の場合には、前月の電力使用量が必要となる。動画生成システム１は、ユーザ別テキストデータ１１ａに含まれる数値以外に必要な値を、ユーザ別ユーザデータ１３ａの時系列数値１３３として保存しており、それを利用して求める。また、対象値が翌月予想値の場合には、時系列数値とユーザ別テキストデータ１１ａに含まれる今月数値から翌月数値を予想するが、回帰分析による近似曲線、季節調整等の公知の手法を適用することができる。なお、対象値を画像又は音声として動画に含める場合には、ＣＧ基礎データ選択手段１６によらず、動画生成システム１外のプログラムにおいてユーザ別テキストデータ１１ａを生成する際に計算する。
【００５５】
ＣＧ基礎データ選択手段１６は、選択されたＣＧ基礎データを、ユーザ別ＣＧ基礎データ１２ａとして出力する（ステップ３４）。
【００５６】
図４は、動画の生成手順を示す図である。動画の生成における処理は、まず、区間毎に行われ、各区間における処理は、音声合成手段１５を用いたテキスト処理４１、ＣＧ処理手段１７及び結合手段１８を用いた画像処理４２に大別される。その後、区間ごとに生成された動画を結合して１つの動画とする。
【００５７】
テキスト処理４１では、１区間分のテキストを１区間テキストデータ４３として保存し（ステップ４１１）、そのテキストに基づいて音声合成を行い（ステップ４１２）、１区間音声データ４４を生成する。
【００５８】
画像処理４２では、その区間に用いるＣＧ基礎データを１区間ＣＧ基礎データ４５として保存し（ステップ４２１）、１区間テキストデータ４３、１区間音声データ４４及び１区間ＣＧ基礎データ４５に基づいて、１区間動画データ４６を生成する（ステップ４２２）。
【００５９】
ステップ４２２における処理では、まず、１区間ＣＧ基礎データ４５に挿入すべきテキストがあればそのテキストを１区間テキストデータ４３から抽出して挿入し、１区間ＣＧ基礎データ４５に挿入すべきグラフがあればそのグラフに用いる値を１区間テキストデータ４３に含まれる数値から抽出してグラフを挿入する。ここで、挿入されてテキスト及びグラフは静的な画像であっても、動きのあるもの（例えばスクロールする文字列）であってもよい。テキストとグラフが挿入されて動画データとなる。
【００６０】
次いで、動画データの時間長を、１区間音声データ４４の時間長に合わせる。この時間長調整は、ＣＧの速度を調整して行われる。これにより、一区間動画データ４７が生成される。
【００６１】
１区間動画データ４７と１区間音声データ４４とは同じ時間長であるので、結合手段１８によってこれらを単純に結合して１区間動画４７が生成できる（ステップ４２３）。
【００６２】
全ての区間に関する１区間動画４７が生成されると、結合手段１８は、全ての１区間動画を結合して１つの動画とし、ユーザ別動画４８を生成する。
【００６３】
図５は、時間長調整を説明する図である。時間長調整のされない動画データは、（Ａ）に示すように１区間音声データ４４とは異なる時間長となる。時間長調整によって、（Ｂ）に示すように１区間音声データ４４と同一の時間長の１区間動画データ４６とする。１区間動画データ４６と1区間音声データ４４を結合し、全体を結合して生成されるユーザ別動画４８は、音声の切れ目や動画の停止状態のない、スムーズな動画となる。
【００６４】
以上の手順で生成された１区間動画４８が、配信手段１９により、そのユーザのユーザ端末２に配信される。
【００６５】
以下、本発明の動画生成システム１によって生成される動画の第一の例を示す。ただし、動画は多数の区間から構成されるものであり、本発明の動画生成システム１の効果を説明するために一部の区間のみを示す。
【００６６】
図６は、動画の例を示す図である。この動画は、電気・ガス等のユーティリティの費用を毎月支払い、年毎に清算する家庭に向けたものであり、支払済費用と実際の使用料金の差額の通知を行うものである。まず、（Ａ）に示すように、実際の使用料金が示される。料金の額は静止画でなく右方からスライドインするテキストであり、TOTAL COSTの文字は静止画でなく矩形状の板が左方からめくられるように示される。図はかかる画像変動の後のものである。この際の音声は、「あなたの実際の使用の料金は、税込で１４４０ユーロと２７セントです。」というものであり、およそ８秒の時間長である。音声が終了した時に（Ａ）の画像となる。
【００６７】
次に、（Ｂ）に示すように、実際の支払額が示される。支払額はスライドインする。この際の音声は「あなたが支払い済みの金額の合計は、１１１０ユーロと５３セントです。」というものであり、およそ６秒の時間長である。音声が終了した時に（Ｂ）の画像となる。
【００６８】
次に、（Ｃ）に示すように、差額が示される。差額はスライドインする。この際の音声は「実際の使用の料金が支払い済みの金額よりも大きく、３２９ユーロと５３セントの差額があります。」というものであり、およそ９秒の時間長である。音声が終了した時に（Ｃ）の画像となる。
【００６９】
以上のように、（Ａ）、（Ｂ）、（Ｃ）における音声の時間長が相違するが、テキストが順次にスライドインし、テキストの表示と音声による説明が合わせて出力されるので、ユーザの理解が容易である。（Ｃ）の画像を静止画として表示したままで説明の音声が流れる場合と対比すると、ユーザは、音声による説明が指し示す者が何であるかを容易に把握できる。
【００７０】
その後、差額の銀行口座からの引き落としを説明し、電気・ガス等の実際の使用量を説明する。（Ｄ）は、電気使用量の前期比を示す場面のものである。２本の棒グラフが、前期、今期の順に板が後方から起き上がるように表示され、その後に「７％増」を示すテキストが、板が後方から起き上がるように表示される動画である。この際の音声は「実際の使用の料金が支払い済みの金額よりも大きく、３２９ユーロと５３セントの差額があります。」というものであり、およそ９秒の時間長である。音声が終了した時に（Ｄ）の画像となる。
【００７１】
ここで、動画の配信を受けるユーザが図２において番号１で示したものであるとすると、前期比の伸び７％が、ＣＧ基礎データ変更条件としてユーザの指定する５％よりも大きいので、注意を喚起するＣＧ基礎データが使用される。例えば、（Ｄ）において「７％」の文字を含む長方形の領域の周辺が赤色であることによって注意を喚起する。（注意を喚起しない場合には長方形の領域の周辺が青色であるとする。）
【００７２】
以下、本発明の動画生成システム１によって生成される動画の第二の例を示す。動画は多数の区間から構成されるものであり、本発明の動画生成システム１の効果を説明するために一部の区間のみを示す点は、第一の例と同様である。
【００７３】
図７は、動画の例を示す図である。この動画は、歩数計の使用者に向けたものであり、月毎の歩数、消費カロリー及び歩行距離の通知を行うものである。まず、（Ａ１）に示すように、１日から順にそれぞれの日の歩数がグラフとして順次に表示され、歩数の数字が増加していく。月末までの表示が終了した時に（Ａ２）の画像となる。（Ａ１）に示している間の音声は、「あなたが１１月の１か月に歩いた歩数は、」というものであり、およそ４秒の時間長である。音声が終了した時に（Ａ２）の画像となり、「４０，３００歩。」という音声が流れる。
【００７４】
「あなたが１１月の１か月に歩いた歩数は、４０，３００歩。」という１つの文章を、「あなたが１１月の１か月に歩いた歩数は、」と「４０，３００歩。」の２つの要素テキストとし、動画データをテキストの内容にと整合した形で表示するものである。ユーザは、「歩数」が示されることを理解しながらグラフと数字を見ることができ、「４０，３００」の数字を見つつ「４０，３００歩」という合計の歩数を音声で聞くことができる。理解が容易である。
【００７５】
次に、（Ｂ１）及び（Ｂ２）に示すように、消費カロリーが示される。円グラフの幅を増加させつつ、表示する数字を増加させつつ、（Ｂ１）のように表示し、「消費したカロリーは」という音声が流される。グラフの幅と数字の増加が停止した状態で（Ｂ２）の画像となり、「３８２６キロカロリー」という音声が流される。上記と同様にユーザによる理解が容易である。
【００７６】
次に、（Ｃ１）及び（Ｃ２）に示すように、歩行距離が示される。棒グラフの長さを増加させつつ、表示する数字を増加させつつ、（Ｃ１）のように表示し、「歩いた距離は合計で」という音声が流される。グラフの長さと数字の増加が停止した状態で（Ｃ２）の画像となり、「３４．５キロメートル」という音声が流される。ここでも、上記と同様にユーザによる理解が容易である。
【００７７】
最後に、（Ｄ）のような電車の画像が、回転・拡大しつつ表示され、「あなたは１か月で山手線を１周するだけの距離を歩きました」という音声が流される。自然な表示及び音声により、実際の歩行距離を具体的な印象を伴って伝えることになる。むろん、この際の音声及び画像は、実際の歩行距離に依存して選択することができる。
【００７８】
以上詳細に説明したように、本発明の動画生成システム１は、コンピュータグラフィックスによる動画の時間長を調整し、テキストに基づく音声と合わせる。これにより、動画データの動きが不自然になってしまったり、音声データが無音となってしまったりすることのない、自然な動画が生成される。
【産業上の利用可能性】
【００７９】
動画データと音声データとの時間長の調整を行うことができ、自然な動画を生成することのできる動画生成システム、及び自然な動画による効果的な通知のできる料金通知方法であり、多くの公共サービス業者による利用が期待される。また、動画生成システムについては、広告業者等、他のサービス業者による利用も期待される。
【符号の説明】
【００８０】
１      動画生成システム
１１    テキストデータ
１２    ＣＧ基礎データ
１３    ユーザデータ
１４    ユーザ別動画
１５    音声合成手段
１６    ＣＧ基礎データ選択手段
１７    ＣＧ処理手段
１８    結合手段
１９    配信手段
２      ユーザ端末
３１    基準ＣＧ基礎データ選択処理
３２    閾値調整処理
３３    ＣＧ基礎データ確定処理
４１    テキスト処理
４２    画像処理
【図１】
2016118936.tif 000003
【図２】
2016118936.tif 000004
【図３】
2016118936.tif 000005
【図４】
2016118936.tif 000006
【図５】
2016118936.tif 000007
【図６】
2016118936.tif 000008
【図７】
2016118936.tif 000009